(57)【要約】【課題】  移動通信端末を内線通信端末として利用できる領域を管理可能な内線領域管理装置を提供すること。【解決手段】  内線領域管理装置１では、受信部２１がユーザの携帯電話機５０から端末ＩＤを受信する。登録情報格納部１３には、端末ＩＤと当該端末ＩＤにより特定される携帯電話機を内線電話機として利用可能なセルのＩＤ（利用可セルＩＤ）とが格納されている。受信部２１が受信した端末ＩＤをもとに、抽出部１２が登録情報格納部１３から利用可セルＩＤを抽出する。情報生成部１４は、抽出した利用可セルＩＤに基づき、今ユーザが在圏しているセルでユーザの携帯電話機５０を内線通信端末として利用できる場合には、内線電話機としての利用を許可する旨を示す内線情報を生成し、利用できない場合には、内線電話機としての利用を禁止する旨を示す内線情報を生成する。【選択図】  図１
2008236044.tif 000002
【特許請求の範囲】
【請求項１】
移動通信端末を特定するための端末識別情報および、当該移動通信端末を内線通信端末として利用可能なセルを特定するための利用可セル識別情報を対応付けて格納した格納手段と、
ユーザの移動通信端末を特定するための端末識別情報を受信する受信手段と、
前記受信手段が前記ユーザの移動通信端末の端末識別情報を受信すると、当該端末識別情報と対応付けられた利用可セル識別情報を前記格納手段から抽出する抽出手段と、
前記抽出手段により抽出された利用可セル識別情報に基づき、前記ユーザの移動通信端末が在圏しているセルで前記ユーザの移動通信端末を内線通信端末として利用できると判断した場合には、内線通信端末としての利用を許可する旨を示す内線情報を生成し、前記ユーザの移動通信端末が在圏しているセルで前記ユーザの移動通信端末を内線通信端末として利用できないと判断した場合には、内線通信端末としての利用を禁止する旨を示す内線情報を生成する情報生成手段と、
前記情報生成手段により生成された内線情報を前記ユーザの移動通信端末に送信する送信手段と、
を備えることを特徴とする内線領域管理装置。
【請求項２】
前記情報生成手段は、前記ユーザの移動通信端末の端末識別情報が前記格納手段に格納されていない場合には、内線通信端末としての登録が済んでいない旨を示す内線情報を生成することを特徴とする請求項１に記載の内線領域管理装置。
【請求項３】
移動通信端末を特定するための端末識別情報および、当該移動通信端末を内線通信端末として利用可能なセルを特定するための利用可セル識別情報を対応付けて格納した格納ステップと、
ユーザの移動通信端末を特定するための端末識別情報を受信する受信ステップと、
前記受信ステップにて受信した前記ユーザの移動通信端末の端末識別情報と対応付けられた利用可セル識別情報を前記格納ステップで格納されたものの中から抽出する抽出ステップと、
前記抽出ステップにて抽出した利用可セル識別情報に基づき、前記ユーザの移動通信端末が在圏しているセルが、前記ユーザの移動通信端末を内線通信端末として利用できるセルであると判断した場合には、内線通信端末としての利用を許可する旨を示す内線情報を生成し、前記ユーザの移動通信端末が在圏しているセルが、前記ユーザの移動通信端末を内線通信端末として利用できないセルであると判断した場合には、内線通信端末としての利用を禁止する旨を示す内線情報を生成する情報生成ステップと、
前記情報生成ステップで生成した内線情報を前記ユーザの移動通信端末に送信する送信ステップと、を有する
ことを特徴とする内線領域管理方法。
【発明の詳細な説明】
【技術分野】
【０００１】
本発明は、内線領域管理装置及び内線領域管理方法に関するものである。
【背景技術】
【０００２】
近年、携帯電話機といった移動通信端末を、内線通信端末（内線通話や内線通信が可能な端末）としても利用できるサービスが普及しつつある。これに伴い、内線通信端末として利用可能な領域を制限できるサービスが望まれている。より具体的に言うと、複数のオフィスが入ったビルにおいて、エントランスがある１階フロアではビル内のオフィスに勤務する人全員に内線通信を許可し、２階以上の各フロアでは一部の人のみ、すなわち当該フロアに入っているオフィスの勤務者のみに内線通信を許可するようなサービスである。
【０００３】
ところで、移動通信端末の一つとして、下記の特許文献１に記載されたものがある。この移動通信端末は、基地局のセル内に入ると、この基地局から識別コードを取得する。格納部には、通信を許可する基地局の識別コードがユーザによって予め格納されており、取得した基地局の識別コードが格納部に格納されている場合、移動通信端末は通信を開始する。
【０００４】
ここで、基地局が内線通信に対応したものであり、且つ、セル範囲が比較的狭いとすると、この基地局を各フロアにそれぞれ設置することにより、上記のサービスを実現することが可能となる。
【特許文献１】特開２００４−２４２０２１号公報
【発明の開示】
【発明が解決しようとする課題】
【０００５】
特許文献１に記載の移動通信端末が内線通信を行えるセルは、格納部に格納された識別コードに対応する基地局のセルである。格納部への格納は、ユーザが移動通信端末を操作することにより行われる。したがって、例えば、全てのフロアに設置された基地局の識別コードを格納部に格納するよう、ユーザが移動通信端末を操作した場合には、ユーザのオフィスが入っていないフロアでも内線通信が可能となってしまう。このような事態を防止するためには、内線通信端末として利用可能な領域を移動通信端末以外で管理することが望ましい。
【０００６】
そこで本発明では、移動通信端末を内線通信端末として利用できる領域を管理可能な内線領域管理装置及び内線領域管理方法を提供することを目的とする。
【課題を解決するための手段】
【０００７】
本発明の内線領域管理装置は、（１）移動通信端末を特定するための端末識別情報および、当該移動通信端末を内線通信端末として利用可能なセルを特定するための利用可セル識別情報を対応付けて格納した格納手段と、（２）ユーザの移動通信端末を特定するための端末識別情報を受信する受信手段と、（３）受信手段がユーザの移動通信端末の端末識別情報を受信すると、当該端末識別情報と対応付けられた利用可セル識別情報を格納手段から抽出する抽出手段と、（４）抽出手段により抽出された利用可セル識別情報に基づき、ユーザの移動通信端末が在圏しているセルが、ユーザの移動通信端末を内線通信端末として利用できるセルである場合には、内線通信端末としての利用を許可する旨を示す内線情報を生成し、ユーザの移動通信端末が在圏しているセルが、ユーザの移動通信端末を内線通信端末として利用できないセルである場合には、内線通信端末としての利用を禁止する旨を示す内線情報を生成する情報生成手段と、（５）情報生成手段により生成された内線情報をユーザの移動通信端末に送信する送信手段と、を備えることを特徴とする。
【０００８】
本発明の内線領域管理装置によれば、受信部がユーザの移動通信端末の端末識別情報を受信するので、ユーザの移動通信端末を特定することができる。格納手段には、端末識別情報と利用可セル識別情報とを対応付けて格納しておくので、移動通信端末で内線通信をすることができるセルを、内線領域管理装置側が事前に把握しておくことができる。抽出手段が、受信した端末識別情報をもとに格納手段から利用可セル識別情報を抽出し、情報生成手段が、抽出した利用可セル識別情報に基づいて内線情報を生成する。そのため、ユーザが在圏しているセルにおいて、ユーザの移動通信端末は内線通信端末として利用可能か否かを、内線領域管理装置側で判断することができる。このように、本発明の内線領域管理装置を用いれば、内線通信端末として利用可能な領域を管理することが可能となる。
【０００９】
また、本発明の内線領域管理装置では、情報生成手段は、ユーザの移動通信端末の端末識別情報が格納手段に格納されていない場合には、内線通信端末としての登録が済んでいない旨を示す内線情報を生成することが好ましい。この場合、内線通信端末として登録が済んでいない移動通信端末に対しても内線情報を送信ことができるので、内線通信の不正利用をより確実に防止することができる。
【００１０】
ところで、本発明は、上記のように内線領域管理装置の発明として記述できる他に、以下のように内線領域管理方法の発明としても記述することができる。これらはカテゴリが異なるだけで、実質的に同一の発明であり、同様の作用及び効果を奏する。
【００１１】
すなわち、本発明の内線領域管理方法は、移動通信端末を特定するための端末識別情報および、当該移動通信端末を内線通信端末として利用可能なセルを特定するための利用可セル識別情報を対応付けて格納した格納ステップと、ユーザの移動通信端末を特定するための端末識別情報を受信する受信ステップと、受信ステップにて受信したユーザの移動通信端末の端末識別情報と対応付けられた利用可セル識別情報を格納ステップで格納されたものの中から抽出する抽出ステップと、抽出ステップにて抽出した利用可セル識別情報に基づき、ユーザの移動通信端末が在圏しているセルが、ユーザの移動通信端末を内線通信端末として利用できるセルである場合には、内線通信端末としての利用を許可する旨を示す内線情報を生成し、ユーザの移動通信端末が在圏しているセルが、ユーザの移動通信端末を内線通信端末として利用できないセルである場合には、内線通信端末としての利用を禁止する旨を示す内線情報を生成する情報生成ステップと、情報生成ステップで生成した内線情報をユーザの移動通信端末に送信する送信ステップと、を有することを特徴とする。
【発明の効果】
【００１２】
本発明によれば、移動通信端末を内線通信端末として利用できる領域を管理することが可能となる。
【発明を実施するための最良の形態】
【００１３】
以下、図面とともに本発明に係る内線領域管理装置の好適な実施形態について詳細に説明する。なお、図面の説明においては同一要素には同一符号を付し、重複する説明を省略する。
【００１４】
図１は、本発明による内線領域管理装置の実施形態の構成を示す図である。内線領域管理装置１は、ユーザの移動通信端末を内線通信端末として利用可能な領域を管理する装置である。内線領域管理装置１は、より具体的には交換機であり、図１に示すように、基地局制御装置４０を介して基地局２０に接続されている。なお、基地局制御装置４０の機能を内線領域管理装置１に入れて一つの装置としてもよい。
【００１５】
基地局２０は、内線用アンテナ３０及び基地局制御装置４０と通信を行う部分である。基地局２０は、機能的には、受信部２１と、報知情報生成部２２と、送信部２３とを備えている。
【００１６】
基地局２０は、複数の内線用アンテナ３０と通信可能に接続されている。基地局２０は、複数のオフィスが入ったビルの屋上等に配設されている。
【００１７】
基地局２０の報知情報生成部２２は、内線対応通知を含む報知情報を生成する部分である。ここで、内線対応通知とは、内線用アンテナ３０の形成するセルが、内線による通信（本実施形態では内線通話）に対応している旨を示すものである。報知情報生成部２２は、内線対応通知を含む報知情報として、OFFICEEDビットが１である報知情報を生成する。なお、内線による通信に対応していない基地局は、OFFICEEDビットがゼロである報知情報を生成する。報知情報生成部２２は、生成した報知情報を、送信部２３を介して複数の内線用アンテナ３０に送信する。
【００１８】
受信部２１は、内線用アンテナ３０及び基地局制御装置４０から送信された種々の情報を受信する部分である。より具体的には、受信部２１は、内線用アンテナ３０を介して、報知情報を受信したユーザの携帯電話機５０（移動通信端末）から端末ＩＤ（端末識別情報）を受信する。ここで、端末ＩＤとは、ユーザの携帯電話機５０を識別するための情報であって、例えば「09001234567」といった情報である。また、受信部２１は、内線用アンテナ３０から在圏セルＩＤ（在圏セル識別情報）を受信する。ここで、在圏セルＩＤとは、ユーザの携帯電話機５０が在圏するセルを特定するための情報であって、例えば「XXX_30A」といった情報である。在圏セルＩＤ「XXX_30A」は、ユーザの携帯電話機５０が内線用アンテナ３０Ａの形成するセルに在圏していることを示している。受信部２１は、受信した端末ＩＤと在圏セルＩＤとを、送信部２３を介して基地局制御装置４０に送信する。
【００１９】
受信部２１は、基地局制御装置４０から送信された内線情報を受信する。ここで、内線情報とは、ユーザの携帯電話機５０を内線電話機（内線通信端末）として利用できるか否かを示す情報である。受信部２１は、受信した内線情報を、ユーザの携帯電話機５０の在圏しているセルの内線用アンテナ３０Ａに、送信部２３を介して出力する。
【００２０】
内線用アンテナ３０は、ユーザの携帯電話機５０との間で種々の情報を送受信するものである。内線用アンテナ３０は、内線による通信に対応している。内線用アンテナ３０は、基地局２０が配設されたビルの各フロアにそれぞれ設置されている。各内線用アンテナ３０の形成するセルは、設置されたフロアをカバーしている。
【００２１】
内線用アンテナ３０は、内線対応通知を送信する。より具体的には、内線用アンテナ３０は、内線対応通知を含む報知情報を基地局２０から受信し、この報知情報を、自身の形成するセル内に位置する全ての通信端末に対して、ブロードキャストにより送信する。ブロードキャストによって送信することで、送り先の情報を報知情報に含める必要がなくなる。そのため、報知情報の情報量を少なくすることができ、通信回線の有効利用を図ることができる。
【００２２】
内線用アンテナ３０のうち、ユーザの携帯電話機５０が在圏するセルの内線用アンテナ３０Ａは、内線対応通知を含む報知情報を受信したユーザの携帯電話機５０から、この携帯電話機５０の端末ＩＤを受信する。内線用アンテナ３０Ａは、受信した端末ＩＤと共に、ユーザの携帯電話機５０が在圏しているセル、すなわち内線用アンテナ３０Ａが形成するセル、を特定する在圏セルＩＤを基地局２０に送信する。また、内線用アンテナ３０Ａは、基地局２０から送信された内線情報を受信する。内線用アンテナ３０Ａは、受信した内線情報をユーザの携帯電話機５０に送信する。
【００２３】
基地局制御装置４０は、ユーザの携帯電話機５０の在圏セルにおいて、この携帯電話機５０を内線電話機として利用できるか否かを判定するものである。基地局制御装置４０は、基地局２０及び内線領域管理装置１と通信可能に接続されている。
【００２４】
基地局制御装置４０は、機能的には、受信部４１と、在圏セル格納部４２と、判定部４３と、送信部４４とを備えている。
【００２５】
受信部４１は、基地局２０及び内線領域管理装置１から種々の情報を受信する部分である。より具体的には、受信部４１は、基地局２０から端末ＩＤと在圏セルＩＤとを受信する。受信部４１は、受信した在圏セルＩＤを在圏セル格納部４２に格納し、受信した端末ＩＤを送信部４４を介して内線領域管理装置１に送信する。
【００２６】
受信部４１は、内線領域管理装置１から内線情報を受信する。受信部４１は、受信した内線情報を、送信部４４を介して基地局２０に転送する。また、受信部４１は、内線領域管理装置１から利用可セル情報も受信する。ここで、利用可セル情報とは、利用可セルＩＤ（利用可セル識別情報）を含む情報である。利用可セルＩＤとは、ユーザの携帯電話機５０を内線電話機として利用可能なセルを特定するための情報であって、内線領域管理装置１の抽出部１２により抽出されたものである。利用可セルＩＤについては、後に詳しく述べる。受信部４１は、受信した利用可セル情報を判定部４３に出力する。
【００２７】
判定部４３は、在圏セルＩＤと利用可セル情報とに基づき、ユーザの携帯電話機５０が、今在圏しているセルにおいて内線電話機として利用できるか否かを判定する部分である。より具体的には、判定部４３は、受信部４１から出力された利用可セル情報を受け取る。判定部４３は、利用可セル情報に含まれる利用可セルＩＤと、在圏セル格納部４２に格納された在圏セルＩＤとを照合する。その結果、利用可セルＩＤに在圏セルＩＤが含まれている場合には、内線電話機としての利用が可能である旨を示す判定情報を生成する。利用可セルＩＤに在圏セルＩＤが含まれていない場合には、内線電話機としての利用が不可能である旨を示す判定情報を生成する。判定部４３は、生成した判定情報を、送信部４４を介して内線領域管理装置１に送信する。
【００２８】
内線領域管理装置１は、基地局制御装置４０と通信可能に接続されている。内線領域管理装置１は、機能的には、受信部１１（受信手段）と、抽出部１２（抽出手段）と、登録情報格納部１３（格納手段）と、情報生成部１４（情報生成手段）と、送信部１５（送信手段）とを備えている。
【００２９】
図２は、内線領域管理装置１のハードウェア構成を示す図である。図２に示されるように、内線領域管理装置１は、物理的にはＣＰＵ１００、主記憶装置であるＲＡＭ１０１及びＲＯＭ１０２、ハードディスク等の補助記憶装置１０３、データ送受信デバイスである通信モジュール１０４等を備えている。図２に示されるＲＡＭ１０１及びＲＯＭ１０２あるいは補助記憶装置１０３から取り出した命令をＣＰＵ１００で実行し、当該実行結果に応じて通信モジュール１０４を動作させたり、ＲＡＭ１０１、ＲＯＭ１０２、及び補助記憶装置１０３にデータを書き込んだり読み込んだりすることにより、図１に示される受信部１１、抽出部１２、登録情報格納部１３、情報生成部１４、及び送信部１５といった機能的な構成要素が実現される。
【００３０】
受信部１１は、基地局制御装置４０から種々の情報を受信する部分である。より具体的には、受信部１１は、基地局制御装置４０及び基地局２０を介して、ユーザの携帯電話機５０から端末ＩＤを受信する。受信部１１は、受信した端末ＩＤを抽出部１２に出力する。また、受信部１１は、基地局制御装置４０から判定情報を受信する。受信部１１は、受信した判定情報を情報生成部１４に出力する。
【００３１】
抽出部１２は、受信部１１がユーザの携帯電話機５０の端末ＩＤを受信すると、この端末ＩＤと対応付けられた利用可セルＩＤを登録情報格納部１３から抽出する部分である。より具体的には、抽出部１２は、受信部１１により出力された端末ＩＤを受け取ると、登録情報格納部１３を検索し、この端末ＩＤが登録情報格納部１３に格納されているか否かを判断する。端末ＩＤが登録情報格納部１３に格納されている場合には、この端末ＩＤと対応付けられた利用可セルＩＤを抽出する。抽出部１２は、抽出した利用可セルＩＤを含む利用可セル情報を、送信部１５を介して基地局制御装置４０に送信する。抽出部１２は、端末ＩＤが登録情報格納部１３に格納されていない場合には、その旨の通知を情報生成部１４に出力する。
【００３２】
登録情報格納部１３には予め、端末ＩＤと、当該端末ＩＤにより特定される携帯電話機を内線電話機として利用可能なセルを特定する利用可セルＩＤとが対応付けて格納されている。図３は、登録情報格納部１３に格納されている情報の例を示す図である。図３に示される例によれば、登録情報格納部１３には、例えば端末ＩＤ「09001234567」と、利用可セルＩＤ「XXX_30A」，「XXX_30C」，「XXX_30D」とが対応付けて格納されている。これは、端末ＩＤ「09001234567」で特定される携帯電話機は、内線用アンテナ３０Ａ，３０Ｃ，３０Ｄが形成するセルにおいて内線電話機として利用できることを示している。抽出部１２は、受信部１１から端末ＩＤ「09001234567」を受け取った場合には、利用可セルＩＤ「XXX_30A」，「XXX_30C」，「XXX_30D」が含まれる利用可セル情報を基地局制御装置４０に送信する。
【００３３】
情報生成部１４は、抽出部１２により抽出された利用可セルＩＤに基づき、ユーザの携帯電話機５０の在圏しているセルでユーザの携帯電話機５０を内線電話機として利用できると判断した場合には、内線電話機としての利用を許可する旨を示す内線情報を生成し、ユーザの携帯電話機５０が在圏しているセルでユーザの携帯電話機５０を内線電話機として利用できないと判断した場合には、内線電話機としての利用を禁止する旨を示す内線情報を生成する部分である。
【００３４】
より具体的には、情報生成部１４は、受信部１１により出力された判定情報と、抽出部１２により出力された通知とを受け取る。判定情報により、内線電話機としての利用が可能であると判断した場合には、情報生成部１４は内線電話機としての利用を許可する旨を示す内線情報を生成する。判定情報により、内線電話機としての利用が不可能であると判断した場合には、情報生成部１４は内線電話機としての利用を禁止する旨を示す内線情報を生成する。抽出部１２から、端末ＩＤが登録情報格納部１３に格納されていない旨を示す通知を受け取った場合には、情報生成部１４は内線電話機としての登録が済んでいない旨を示す内線情報を生成する。情報生成部１４により生成された内線情報は、送信部１５を介して基地局制御装置４０に送信される。
【００３５】
続いて、本実施形態における内線領域管理装置１の動作について説明する。
【００３６】
図４は、ユーザの携帯電話機５０が内線電話機として登録されていない場合における、内線領域管理装置１の処理を示す図である。内線領域管理装置１の処理を説明するにあたり、ユーザの携帯電話機５０について説明する。ユーザの携帯電話機５０は、内線電話機としての機能を有する端末である。ユーザの携帯電話機５０を内線電話機として使用するには、事前の登録が必要であり、更に携帯電話機５０の内線表示機能を手動で「ＯＮ」にしておく必要がある。内線表示機能は、ユーザの携帯電話機５０が内線電話機としての登録が済んでいない場合であっても、「ＯＮ」にすることができる。ここでは、内線電話機としての登録が済んでいないにも関わらず、内線表示機能が「ＯＮ」となっている場合について、説明する。
【００３７】
基地局２０は、OFFICEEDビットが１である報知情報を報知情報生成部２２にて生成し、送信部２３を介して複数の内線用アンテナ３０に送信する。内線用アンテナ３０は、OFFICEEDビットが１である報知情報をブロードキャストによって送信する（ステップＳ１）。
【００３８】
内線表示機能が「ＯＮ」になっているユーザの携帯電話機５０は、OFFICEEDビットが１である報知情報を受信すると、在圏するセルの内線用アンテナ３０Ａに対して携帯電話機５０の端末ＩＤ「09056789012」を送信する。なお、内線表示機能が「ＯＦＦ」になっている携帯電話機では、報知情報に含まれるOFFICEEDビットは無視される。そのため、内線表示機能が「ＯＦＦ」になっている携帯電話機では、内線電話機としての利用に係る処理がなされることはない。
【００３９】
内線用アンテナ３０Ａは、ユーザの携帯電話機５０から端末ＩＤ「09056789012」を受信する（ステップＳ２）。内線用アンテナ３０Ａは、受信した端末ＩＤ「09056789012」と共に、在圏セルＩＤ「XXX_30A」を基地局２０に送信する。基地局２０の受信部２１は、内線用アンテナ３０Ａにより送信された端末ＩＤ「09056789012」及び在圏セルＩＤ「XXX_30A」を受信する。そして、受信した端末ＩＤ「09056789012」及び在圏セルＩＤ「XXX_30A」を、送信部２３を介して基地局制御装置４０に送信する（ステップＳ３）。
【００４０】
基地局制御装置４０の受信部４１は、基地局２０により送信された端末ＩＤ「09056789012」及び在圏セルＩＤ「XXX_30A」を受信する（ステップＳ４）。受信部４１は、受信した在圏セルＩＤ「XXX_30A」を在圏セル格納部４２に格納し（ステップＳ５）、端末ＩＤ「09056789012」を送信部４４を介して内線領域管理装置１に送信する（ステップＳ６）。
【００４１】
内線領域管理装置１の受信部１１は、基地局制御装置４０から端末ＩＤ「09056789012」を受信する（ステップＳ７）。そして、受信した端末ＩＤ「09056789012」を抽出部１２に出力する。抽出部１２は、登録情報格納部１３を検索して、受信部１１から受け取った端末ＩＤ「09056789012」が登録情報格納部１３に格納されているか否かを判断する（ステップＳ８）。端末ＩＤ「09056789012」が登録情報格納部１３に格納されていないと判断すると、その旨の通知を情報生成部１４に出力する。
【００４２】
情報生成部１４は、抽出部１２により出力された通知を受け取ると、内線電話機としての登録が済んでいない旨を示す内線情報を生成する（ステップＳ９）。情報生成部１４が生成した内線情報は、送信部１５により基地局制御装置４０に送信される（ステップＳ１０）。基地局制御装置４０は、内線情報を基地局２０に転送する。
【００４３】
基地局２０の受信部２１は、内線電話機としての登録が済んでいない旨を示す内線情報を受信する（ステップＳ１１）。受信部２１は、受信した内線情報を、ユーザの携帯電話機５０が在圏しているセルの内線用アンテナ３０Ａに、送信部２３を介して送信する。内線用アンテナ３０Ａは、基地局２０から受信した内線情報をユーザの携帯電話機５０に送信する（ステップＳ１２）。
【００４４】
ユーザの携帯電話機５０は、内線電話機としての登録が済んでいない旨を示す内線情報を内線用アンテナ３０Ａから受信する。そして、「内線電話機としての登録が済んでいません」というメッセージを画面に表示する。メッセージを表示した後、ユーザの携帯電話機５０は、内線表示機能を「ＯＮ」から「ＯＦＦ」とする処理を行う。内線表示機能が「ＯＦＦ」となった携帯電話機５０では、OFFICEEDビットが１である報知情報を受信しても、端末ＩＤを内線用アンテナ３０Ａに送信することが無くなる。
【００４５】
図５は、ユーザの携帯電話機５０が内線電話機として登録されている場合における、内線領域管理装置１の処理を示す図である。なお、ユーザの携帯電話機５０の内線表示機能は「ＯＮ」となっている。
【００４６】
基地局２０は、OFFICEEDビットが１である報知情報を報知情報生成部２２にて生成し、送信部２３を介して複数の内線用アンテナ３０に送信する。内線用アンテナ３０は、報知情報をブロードキャストによって送信する（ステップＳ２０）。
【００４７】
内線表示機能が「ＯＮ」になっているユーザの携帯電話機５０は、OFFICEEDビットが１である報知情報を受信すると、在圏するセルの内線用アンテナ３０Ａ（すなわち現在ユーザのいるフロアに設置された内線用アンテナ３０Ａ）に対して、携帯電話機５０の端末ＩＤ「09012345678」を送信する。
【００４８】
内線用アンテナ３０Ａは、ユーザの携帯電話機５０から端末ＩＤ「09012345678」を受信する（ステップＳ２１）。内線用アンテナ３０Ａは、受信した端末ＩＤ「09012345678」と共に、在圏セルＩＤ「XXX_30A」を基地局２０に送信する。基地局２０は、内線用アンテナ３０Ａにより送信された端末ＩＤ「09012345678」及び在圏セルＩＤ「XXX_30A」を受信すると、これらを基地局制御装置４０に送信する（ステップＳ２２）。
【００４９】
基地局制御装置４０の受信部４１は、基地局２０により送信された端末ＩＤ「09012345678」及び在圏セルＩＤ「XXX_30A」を受信する（ステップＳ２３）。受信部４１は、受信した在圏セルＩＤ「XXX_30A」を在圏セル格納部４２に格納し（ステップＳ２４）、受信した端末ＩＤ「09012345678」を送信部４４を介して内線領域管理装置１に送信する（ステップＳ２５）。
【００５０】
内線領域管理装置１の受信部１１は、基地局制御装置４０から端末ＩＤ「09012345678」を受信する（ステップＳ２６）。受信部１１は、受信した端末ＩＤ「09012345678」を抽出部１２に出力する。抽出部１２は、受信部１１から受け取った端末ＩＤ「09012345678」をもとに登録情報格納部１３を検索する（ステップＳ２７）。そして、端末ＩＤ「09012345678」と対応付けられた利用可セルＩＤを登録情報格納部１３から抽出する（ステップＳ２８）。抽出部１２は、抽出した利用可セルＩＤを含む利用可セル情報を、送信部１５を介して基地局制御装置４０に送信する（ステップＳ２９）。
【００５１】
基地局制御装置４０の受信部４１は、内線領域管理装置１から利用可セル情報を受信する（ステップＳ３０）。受信部４１は、受信した利用可セル情報を判定部４３に出力する。判定部４３は、受信部４１から利用可セル情報を受け取ると、この利用可セル情報に含まれる利用可セルＩＤと、在圏セル格納部４２に格納された在圏セルＩＤ「XXX_30A」とを照合する（ステップＳ３１）。照合の結果、利用可セルＩＤに在圏セルＩＤ「XXX_30A」が含まれている場合には、内線電話機としての利用が可能である旨を示す判定情報を生成する。利用可セルＩＤに在圏セルＩＤ「XXX_30A」が含まれていない場合には、内線電話機としての利用が不可能である旨を示す判定情報を生成する（ステップＳ３２）。判定部４３は、生成した判定情報を、送信部４４を介して内線領域管理装置１に送信する（ステップＳ３３）。
【００５２】
内線領域管理装置１の受信部１１は、基地局制御装置４０により送信された判定情報を受信し（ステップＳ３４）、これを情報生成部１４に出力する。情報生成部１４は、受信部１１により出力された判定情報を受け取る。情報生成部１４は、判定情報が内線電話機としての利用が可能である旨を示す場合には、内線電話機としての利用を許可する旨を示す内線情報を生成する。また、判定情報が、内線電話機としての利用が不可能である旨を示す場合には、情報生成部１４は内線電話機としての利用を禁止する旨を示す内線情報を生成する（ステップＳ３５）。情報生成部１４は、生成した内線情報を、送信部１５を介して基地局制御装置４０に送信する（ステップＳ３６）。基地局制御装置４０は、内線情報を基地局２０に転送する。
【００５３】
基地局２０の受信部２１は、内線情報を受信する（ステップＳ３７）。受信部２１は、受信した内線情報を、ユーザの携帯電話機５０の在圏しているセルの内線用アンテナ３０Ａに送信部２３を介して送信する。内線用アンテナ３０Ａは、基地局２０から受信した内線情報をユーザの携帯電話機５０に送信する（ステップＳ３８）。
【００５４】
ユーザの携帯電話機５０は、内線用アンテナ３０Ａから内線情報を受信する。ユーザの携帯電話機５０は、内線情報が、内線電話機としての利用を許可する旨を示す場合には、例えば「圏内」を示す内線通信用のマークを表示する。内線情報が、内線電話機としての利用を禁止する旨を示す場合には、例えば「圏外」を示す内線通信用のマークを表示する。「圏内」を示す内線通信用のマークが表示されたユーザの携帯電話機５０では、現在いるフロアにおいて内線通話を行うことができる。
【００５５】
以上述べたようなステップＳ２０〜Ｓ３８の一連の処理を繰り返すことによって、ユーザが移動した場合にも、移動先で内線通信が可能か否かを判断することができる。
【００５６】
本実施形態の作用効果について説明する。上述のように、本実施形態の内線領域管理装置１では、受信部１１がユーザの携帯電話機５０の端末ＩＤを受信するので、ユーザの携帯電話機５０を特定することができる。登録情報格納部１３に端末ＩＤ及び利用可セルＩＤを対応付けて格納しておくので、内線領域管理装置１側で、ユーザの携帯電話機５０を内線電話機として利用できるセルを事前に把握しておくことができる。また、抽出部１２が受信した端末ＩＤをもとに登録情報格納部１３から利用可セルＩＤを抽出し、かかる利用可セルＩＤに基づいて情報生成部１４が内線情報を生成する。このため、今ユーザが在圏しているセルで、ユーザの携帯電話機５０が内線電話機として利用できるか否かを、内線領域管理装置１側で判断することができる。したがって、複数のオフィスが入ったビルにおいて、エントランスがある１階フロアではビル内のオフィスに勤務する人全員が、また２階以上の各フロアでは当該フロアに入っているオフィスの勤務者のみが、それぞれ自身の携帯電話機を内線電話機として使用できるよう、内線領域管理装置１側で管理することが可能となる。
【００５７】
また、本実施形態にかかる内線領域管理装置１では、ユーザの携帯電話機５０の端末ＩＤが登録情報格納部１３に格納されていない場合には、情報生成部１４は、内線電話機としての利用を禁止する旨を示す内線情報を生成する。この場合、内線電話機として登録が済んでいない携帯電話機に対しても内線情報を送信することとなるので、内線通話の不正利用をより確実に防止することができる。
【図面の簡単な説明】
【００５８】
【図１】本発明の実施形態に係る内線領域管理装置の構成を示す図である。
【図２】内線領域管理装置のハードウェア構成を示す図である。
【図３】登録情報格納部に格納されている情報の例を示す図である。
【図４】ユーザの携帯電話機が内線電話機として登録されていない場合における、内線領域管理装置の処理を示す図である。
【図５】ユーザの携帯電話機が内線電話機として登録されている場合における、内線領域管理装置の処理を示す図である。
【符号の説明】
【００５９】
１・・・内線領域管理装置、１１・・・受信部、１２・・・抽出部、１３・・・登録情報格納部、１４・・・情報生成部、１５・・・送信部、２０・・・基地局、２１・・・受信部、２２・・・報知情報生成部、２３・・・送信部、３０・・・内線用アンテナ、４０・・・基地局制御装置、４１・・・受信部、４２・・・在圏セル格納部、４３・・・判定部、４４・・・送信部、５０・・・携帯電話機。
【図１】
2008236044.tif 000003
【図２】
2008236044.tif 000004
【図３】
2008236044.tif 000005
【図４】
2008236044.tif 000006
【図５】
2008236044.tif 000007